(57)【特許請求の範囲】
【請求項１】
複数の子局がカプラを介して一つの親局に接続されてなる光通信システムにおいて、
前記親局が、前記各子局から前記親局に伝送される光信号の受信レベルを測定して測定情報を生成する光レベル検出部と、
前記光レベル検出部で生成された前記各子局に対する測定情報を、子局に対応させて記憶する記憶部と、
前記記憶部から読み出した子局の測定情報に基づき受光レベルを最大レベルで一定とするための調整情報を生成する制御部と、
前記複数の子局からの光信号レベルを前記調整情報によって増幅する光アンプと、
前記光アンプの出力光を受けとり電気信号に変換する光受信部と、
前記光受信部から出力される電気信号を受信信号として受け取る受信データ処理部と、
を備え、
親局装置の立ち上げ時、もしくは新たに子局が接続された場合のトレーニング時の伝送データで、前記子局から前記親局に伝送される光信号の受信レベルを測定して測定情報を生成し、前記記憶部に子局に対応させて前記測定情報を記憶し、運用時には、前記記憶部から、前記子局に対応した測定情報を読み出すことで、トレーニングすることなく、光信号レベルを前記光アンプで増幅し、前記各子局の受光レベルを前記光受信部で受信可能な最大レベルで一定とされる、ことを特徴とする光通信システム。
【請求項２】
前記記憶部において、前記測定情報が、前記受信データ処理部から出力される子局番号情報に基づき前記子局番号情報に対応させて記憶されることを特徴とする請求項１記載の光通信システム。
【請求項３】
複数の子局がカプラを介して一つの親局に接続されてなる光通信システムの受信レベル調整方法において、
装置の立ち上げ時、もしくは新たに子局が接続された場合のトレーニング時の伝送データで、前記子局から前記親局に伝送される光信号の受信レベルを測定して測定情報を生成し、記憶部に子局に対応させて前記測定情報を記憶し、
運用時には、前記記憶部から前記子局に対応した測定情報を読み出すことで、光アンプの増幅率を制御し、各子局の受光レベルを光受信部で受信可能な最大レベルの一定値に調整する、ことを特徴とする受信レベル調整方法。
【請求項４】
複数の子局が光カプラを介して一つの親局に接続されてなる光通信システムの受信レベル調整方法において、
トレーニング時に、前記親局は、新規子局から前記親局に伝送される光信号の受信レベルを光レベル検出部で測定して測定情報を生成するステップと、
前記生成された前記子局に対する測定情報を、子局に対応させて記憶部に保存するステップと、
運用時に、前記記憶部から前記各子局の測定情報を読み出し、前記測定情報に基づき、各子局の受光レベルを最大レベルで一定とするための調整情報を制御部で生成し、前記調整情報に基づき、光アンプで、前記複数の子局からの光信号レベルを増幅するステップと、
を含み、前記各子局の受光レベルを、前記光アンプの出力光を受け取る光受信部で受信可能な最大レベルの一定値に調整する、ことを特徴とする受信レベル調整方法。
【発明の詳細な説明】
【０００１】
【発明の属する技術分野】
本発明は、光通信システムに関し、特に、一つの親局と複数の子局とをスター状の光伝送路で接続されたシステムにおける受信レベルの調整方法及び装置に関する。
【０００２】
【従来の技術】
従来、基幹系の伝送装置において、電気通信に変わる情報伝達手段として、光通信が用いられており、光信号を伝達する光ファイバを用いた伝送装置は、伝送容量を飛躍的に向上させている。そしてインターネットの普及に伴い、更に増加することが予想される伝送容量の需要に対応するため、最近では、加入者側まで光ファイバを設置するＦＴＴＨ（Ｆｉｂｅｒ  Ｔｏ  Ｔｈｅ  Ｈｏｍｅ）の研究が盛んに行われている。
【０００３】
従来の光通信システムについて、図４を参照して以下に説明する。図４を参照すると、この従来の光通信システムにおいて、複数の子局２０１−１〜２０１−Ｎは、カプラ２００を介してスター状に接続されており、カプラ２００からの光信号は親局２０３の光受信部２０４で受信され、電気信号に変換され、さらにディジタル信号に変換した受信データ２０５として受信データ処理部２０６に入力されている。
【０００４】
すなわち、子局２０１−１〜２０１−Ｎから送信された光信号２０２−１〜Ｎを受信する度に、光信号２０２−１〜Ｎの受信レベルを、光受信部２０４で測定して電気信号に変換し、ディジタル信号の受信データ２０５として受信データ処理部２０６に供給される。
【０００５】
【発明が解決しようとする課題】
しかしながら、従来のシステムにおいては、図５に示すように、複数の子局から親局までの光ファイバの伝送距離の違いによる光レベル差３０１〜３０６が生じた場合に、光受信部２０４で全ての光レベルを検出することは、子局との間の距離が増大し、伝送距離が長くなり、長距離と短距離時の光レベル差が大きくなる程、困難となる。なお、図５において、ハッチングを施した３１１〜３１６はトレーニングデータである。そして、光受信部で正しくレベル検出が行えない場合、伝送効率が低下する。
【０００６】
光信号を伝達する光ファイバを用いた伝送装置において、伝送効率を向上させることは急務となっている。
【０００７】
なお、例えば特開平１０−９３５１１号公報には、１つの親局と複数の子局とをカプラで分岐、合流する光通信システムにおいて、親局の光受信部に、複数の子局から親局に伝送されてくる光信号のレベル差を一定にするため光強度制御手段を備え、高速応答を図る構成が提案されている。上記特開平１０−９３５１１号公報に開示されたシステムは、光ファイバから出射された光を集光するレンズと、逆バイアス電圧の大小に応じて光の透過率が変化される光透過率可変素子と、ホトダイオード等の受光素子とが一体成形されたＭＱＷ変調器と、光透過率可変素子に印可する逆バイアス電圧を変化させることで光透過率を制御する光受信レベル制御部と、各子局からの光バースト信号に対して個別に測定された透過率可変素子の透過率を決める情報を記憶するメモリと、受信処理回路を備えている。上記特開平１０−９３５１１号公報に開示されたシステムは、親局で光信号を可変に減衰させることで、各子局の光受信レベルを一定とするものである。
【０００８】
したがって、本発明は、上記課題の認識に基づき創案されたものであって、その目的は、比較的簡易な構成により伝送効率を向上するシステム及び方法を提供することにある。
【０００９】
【課題を解決するための手段】
前記目的を達成する本発明は、複数の子局がカプラを介して一つの親局に接続されてなる光通信システムにおいて、前記親局が、前記各子局から前記親局に伝送される光信号の受信レベルを測定して測定情報を生成する光レベル検出部と、前記光レベル検出部で生成された前記各子局に対する測定情報を、子局に対応させて記憶する記憶部と、前記記憶部から読み出した子局の測定情報に基づき、光信号レベルを、最大レベルで一定とするための調整情報を生成する制御部と、前記複数の子局からの光信号レベルを前記制御部からの調整情報によって増幅する光アンプと、前記光アンプの出力を電気信号に変換する光受信部と、前記光受信部から出力される信号を受信信号として受け取る受信データ処理部と、を備える。
【００１０】
本発明において、親局装置の立ち上げ時、もしくは新たに子局が接続された場合のトレーニング時の伝送データで、前記子局から前記親局に伝送される光信号の受信レベルを測定して測定情報を生成し、前記記憶部に子局に対応させて前記測定情報を記憶し、運用時には、前記記憶部から、前記子局に対応した測定情報を読み出すことで、トレーニングすることなく、光信号レベルを前記光アンプで増幅し、各子局の受光レベルを光受信部で受信可能な最大レベルに調整する。
【００１１】
【発明の実施の形態】
本発明の実施の形態について説明する。本発明の好ましい一実施の形態について、図１を参照して説明する。複数の子局がカプラを介して親局に接続され、子局から送信データとして出力された光信号を親局が入力して、電気信号に変換し、受信データとして出力する「Ｒｅｓｈａｐｉｎｇ」、「Ｒｅｔｉｍｉｎｇ」、「Ｒｅｇｅｎｅｒａｔｉｎｇ」の機能を実現する方式において、親局３は、子局１−Ｍ（Ｍは、１≦Ｍ≦Ｎの整数）から親局３に伝送される光信号の受信レベル２−Ｍ（Ｍは、１≦Ｍ≦Ｎの整数）を測定して測定情報９を生成する光レベル検出部８と、複数の子局１−１〜１−Ｎから親局３までの光ファイバーの伝送距離の違いによって生じる子局に対する各々の測定情報９を、受信データ処理部７の子局情報（子局Ｎｏ．）１０に従って記憶する記憶部１１と、記憶部１１から読み出した各々の子局の測定情報１２によって、光信号レベルを一定にする調整情報１４を生成する制御部１３と、複数の子局１−１〜１−Ｎからの光信号レベルを制御部１３からの調整情報１４によって増幅率を可変し、調整された光信号５を出力する光アンプ４と、受信信号として受信データ処理部７へ出力する光受信部６とを備えて構成されている。
【００１２】
本発明においては、図２に示すように、装置立ち上げ時や、新たに子局が接続された場合の最初の伝送データ４０１〜４０３で、該子局から親局３に伝送される光信号の受信レベルを測定して測定情報を生成し、その測定情報を保存するため、運用時には測定情報を読み出すことで、トレーニングすることなく、光信号レベルを最大レベルまで光アンプ４で増幅し、光受信部６で、受信可能なレベルに調整することが可能である。
【００１３】
【実施例】
上記した本発明の実施の形態についてさらに詳細に説明すべく、本発明の実施例について図面を参照して以下に説明する。図１は、本発明の一実施例の構成を示す図である。図１を参照すると、本発明の一実施例は、子局１−Ｎ（Ｍは、１〜Ｎの任意の整数）から親局３に伝送される光信号の受信レベル２−Ｍ（Ｍは、１〜Ｎの任意の整数）を測定して測定情報９を生成する光レベル検出部８と、複数の子局１−１〜１−Ｎ（Ｎは所定の整数）から親局３までの光ファイバーの伝送距離の違いによって生じる子局に対する各々の測定情報９を、受信データ処理部７の子局情報１０に従って記憶する記憶部１１と、記憶部１１から読み出した各々の子局の測定情報１２によって、光信号レベルを一定にする調整情報１４を生成する制御部１３と、複数の子局１−１〜１−Ｎからの光信号レベルを、制御部１３からの調整情報１４によって、調整された光信号５を出力する光アンプ４と、光アンプ４の出力光を受けて電気信号に変換し、受信信号として、受信データ処理部７へ出力する光受信部６とを備えている。
【００１４】
本発明の一実施例の動作を説明するための図であり、各子局のトレーニング時と運用時の受光レベルを示す図である。本発明の一実施例においては、図２に示すように、装置立ち上げ時や、新たに子局が接続された場合（トレーニング時）の最初の伝送データ４０１〜４０３で、当該子局から親局３に伝送される光信号の受信レベルを測定して測定情報を生成し、その測定情報を記憶部１１に保存する。運用時には、記憶部１１から、子局に対応した測定情報を読み出すことで、トレーニングすることなく、例えば子局１、２の光信号レベルを、子局３のレベルまで光アンプ４で増幅する。すなわち、図２に示す例では、トレーニング時の子局１、２の受光レベルは、子局３のレベルよりも低いことから、子局に対応した測定情報を読み出した制御部１３では、子局１、２の受光信号の増幅度を、子局３の受光レベルにまであげるように、調整情報１４を光アンプ４に出力し、光受信部６で、一定の最大光レベルに調整することが可能である。なお、光アンプ４としては、例えば半導体光増幅器等が用いられる。
【００１５】
次に、本発明の一実施例の動作について説明する。図３は、本発明の一実施例の動作を説明するためのフローチャートである。
【００１６】
装置立ち上げ後、トレーニングを開始して（ステップＳ１）、新たな子局の検出を行い（ステップＳ２）、新規子局が「ある」場合には（ステップＳ３のＹＥＳ）、親局３からトレーニング・データを送信する命令を子局に対して発信して、子局から送信されるトレーニング・データを受信することで、運用時に必要とされる光信号の受信レベルの測定情報の収集を行い（ステップＳ４）、その測定情報を、親局３がトレーニング・データを送信する命令を出した子局の番号に対応した記憶領域に格納することで、子局の測定情報の保存を行う（ステップＳ５）。
【００１７】
ステップＳ３の判定で、新規子局が「ない」場合には、運用を開始し（ステップＳ６）、子局→親局通信検索を行い（ステップＳ７）、伝送するデータが「ある」場合には（ステップＳ８のＹＥＳ）、制御部１３は記憶部１１から測定情報１２の読み出しを行い（ステップＳ９）、その測定情報に従って、制御部１３が調整情報１４を光アンプ４に出力し、子局からの受光信号の増幅度を、最大受光レベルにまであげるように調整して、通信データの受信を行う（ステップＳ１０）。
【００１８】
ステップＳ８の判定において、親局と子局間で、伝送するデータが「ない」場合には、ステップＳ１のトレーニングに戻り、再び一連の動作を繰り返す。
【００１９】
【発明の効果】
以上説明したように、本発明によれば、トレーニング時に、子局から親局へ伝送される光信号の受信レベルやを測定した測定情報を記憶部に保存しておき、運用時には、保存された測定情報を読み出すだけで、受信レベルを一定に保つことができ、比較的簡易な構成により伝送効率を向上することができる、という効果を奏する。
【図面の簡単な説明】
【図１】本発明の一実施例の構成を示す図である。
【図２】本発明の一実施例の動作を説明するための図であり、各子局のトレーニング時と運用時の受光レベルを示す図である。
【図３】本発明の一実施例の動作を説明するためのフローチャートである。
【図４】従来のシステムの構成を示す図である。
【図５】従来のシステムのにおける各子局のトレーニング時と運用時の受光レベルを示す図である。
【符号の説明】
１−１〜１−Ｎ、２０１−１〜２０１−Ｎ  子局
２−１〜２−Ｎ、２０２−１〜２０２−Ｎ  光信号
３、２０３  親局
４  光アンプ
５  光信号
６、２０４  光受信部
７、２０６  受信データ処理部
８  光レベル検出部
１０  子局情報
１１  記憶部
１２  測定情報
１３  制御部
１４  調整情報
２０、２００  カプラ
【図１】
0003567867.tif 000002
【図２】
0003567867.tif 000003
【図３】
0003567867.tif 000004
【図４】
0003567867.tif 000005
【図５】
0003567867.tif 000006